(57)【要約】      （修正有）【課題】ライダーの個性とコストを考え、流行の光やペイントを混ぜつつ、珍しい水と油の２層の液体でオートバイに付属させる観賞用部品を提供する。【解決手段】アクリル板と５ｍｍ角棒を接着させ、色つき精製水３とベビーオイルの液体を注入し、その間をシリコンおもちゃ５が漂い、裏面にプリントシート８やプラスチックオモチャ９などを装飾したトレーを取付け、ＦＲＰで加工した枠１４をはめ込み固定する。【撰択図】図１【実用新案登録請求の範囲】
【請求項１】
オートバイのカスタムがこれ以上というほどいいものが無くなりつつあり、ライダーは個性を出したいが使用するものが一般的に販売されているものや、手ごろに入るものだと個性を出しにくくなり、自然と統一性も出てしまう。個性を出せばその分コストがかかってしまう。従って、光・ペイントなどの流行と珍しい水と油との液体のコラボレーションにより、色々なデザインを出し、新しい部品としていつでも楽しめるオートバイに付属させる観賞用部品である。
【考案の詳細な説明】
【技術分野】
【０００１】  本考案は、オートバイの車体に新しく取り付ける、観賞用の部品に関するものである。
【技術背景】
【０００２】  オートバイのカスタムに進展がなくなり頭打ちしてしまった。光・音・ペイントなど流行ってはいるがワンパターン化してきている。しかし、ライダーは人とは違う個性をオートバイで出したい。
【考案の開示】
【考案が解決しようとす課題】
【０００３】  ライダーは人と違うバイクに乗りたいと思う人が増え、光・音・ペイントなどでそれぞれ個性を出しているが、カスタムに使用するものが一般的に販売されているものや、手ごろに入るものだと個性を出しにくくなり、自然と統一性も出てしまう。個性を出せばその分コストがかかってしまう。従って、光・ペイントなどの流行を取り入れつつ、水と油との比重の差を利用した液体のコラボレーションにより、色々なデザインを出し、オートバイの新しい部品としていつでも楽しめるものであり、前述の欠点を解決しようとするものである。
【課題を解決するための手段】
【０００４】本考案は、オートバイのカスタムのために作られたものであり、季節やライダーの好みによって写真立ての写真を変えるような形で、中身を着せ替えることが出来る。今の段階ではある一定の車種のオートバイの一部分のものしかないが、オートバイの車種や取り付ける位置などでどのようなオートバイにも取り付けられるように色々な形を考案している。台形のほか、円形や、正方形、オートバイの外装の形に合わせたものなどさまざまである。また、内部の背景、内部に付属するおもちゃや液体の色のパターンもたくさんの種類をデザイン中である。
【考案の効果】
【０００５】  今は絵のパターン・中の液体の色などの種類が少ないが、これからたくさんの種類を作ることにより、ライダー自身のオートバイのカスタムにもうひとつ新しい感覚や満足感が増す。昼間は走行中、カーブやエンジンの振動で内部のおもちゃ・液体がゆらゆら揺れ、夜はトレー裏面のＬＥＤがほどよく光り、液体・おもちゃがライトアップされ、幻想的なものが楽しめる。ライダーが自分のオートバイに合ったものを選び、より個性を出すものでもあり、これからカスタムする人がどういったカスタムをしていくかと言うきっかけにもなる。
【考案を実施するための最良の形態】
【０００６】  本考案の部品を取り付ける位置には元々オートバイメーカー純正の部品が付いているので、それぞれドライバーやラチェットなどの工具を使ってはずす。枠の下部にある蝶番を車体にビスで取り付け、水槽と枠をビスで４箇所固定する。トレー裏面から出るＬＥＤの配線をテールランプ部分から出ている配線に延長するように取り付けする。その後、オートバイのエンジンを掛け、光と動きが見られるようになる。ただし、取り付けには整備士や十分知識のあるものが行う。
【実施例】
【０００７】  以下、添付図面に従って一実地例を説明する。１はあるオートバイのメットイン一部分に寸法を合わせ機械で切り抜いた厚さ２ミリの台形アクリル板が２枚ありそれを重ね、中に５ミリほどの空間を作り周りを５ミリ角のアクリル角棒とアクリル接着剤で固定する。この角棒が２である。台形の上底部分から液体を注ぐため、あらかじめ角棒をすべて付けずに穴を空けておく。内部の液体とは水と油の比重を利用したもので２層になったものである。３は精製水を使い、水そのものにデザインに合わせた色をインクで溶かしつける。４はベビーオイルを使い、その間を５のデザイン別に型取りしたシリコン素材のおもちゃが漂うようになっているものである。上部の穴を６のキャップで液体が漏れないようにする。これを水槽Ａとする。【０００８】７は水槽Ａの台形に合わせた深さ５センチのトレーで、ＦＲＰを溶かして型取りしたものである。自然乾燥させ固まったら、ＬＥＤやおもちゃをつけるため何箇所かドリルで穴を空けておく。
７の底にテーマ別にデザインしプリントした背景を貼り付ける。これが８である。
９はプラスチックを溶かし、型を取ったおもちゃであり、裏側が１０のバネで取り付けてあり、７にボンドで取り付けする。あらかじめドリルで空けてあった穴を通して７の裏から１１のＬＥＤを差し込んでライトアップする。そのほかに１２のアクリル板を切って出来たアクセサリーを背景に貼り付ける。これを水槽Ｂとする。水槽Ａの角棒部分と水槽Ｂの重なる部分を１３のビスで動かないようしっかりと固定する。これで１つの水槽となる。【０００９】本考案の水槽のみの車体への結合は見栄えも悪く、取り付けも困難なのでオートバイ車体に合わせた１４をつけることにより水槽の取り付けが可能になり見栄えも良くなる。これは、一例であるため１４が必要になるのだが、オートバイの種類・位置によりそのまま取り付けられる場合もあり必要ない事もある。
１４はオートバイの作りたい部分の寸法を測り、型を取った後、自然乾燥。その後、キーシリンダーを取り付けるため、上部に穴をドリルで空ける。水槽を１４に１３で角の４箇所取り付け、１５の車体と枠を取り付けるための金具をボンドで取り付けオートバイ車体と結合させることが可能になる。
【図面の簡単な説明】
【００１０】
【図１】  本考案の部品をオートバイ車体に付属させた一実施例を示す正面図である。
【図２】  水槽Ａの正面図である。
【図３】  水槽Ｂの正面図である。
【図４】  水槽ＡとＢを取り付けしたときの断面図である。
【図５】  枠の正面図である。
【図６】  枠、水槽Ａ・Ｂを取り付けた断面図である。
【図７】  内部の絵柄、おもちゃなどのデザイン例である。
【図８】  形と内部の絵柄、おもちゃなどのデザイン例である。
【図９】  内部の絵柄、おもちゃなどのデザイン例である。
【符号の説明】
【００１２】  １  アクリル板
２  ５ｍｍ角棒
３  色つき精製水（蒸留水）
４  ベビーオイル
５  シリコンおもちゃ
６  キャップ
７  トレー
８  背景（プリントシート）
９  プラスチックおもちゃ
１０  バネ
１１  ＬＥＤ
１２  アクリル板アクセサリー
１３  ビス
１４  枠
１５  金具
１６  キーシリンダー
１７  オートバイ車体
【図１】
0003117846.tif 000002
【図２】
0003117846.tif 000003
【図３】
0003117846.tif 000004
【図４】
0003117846.tif 000005
【図５】
0003117846.tif 000006
【図６】
0003117846.tif 000007
【図７】
0003117846.tif 000008
【図８】
0003117846.tif 000009
【図９】
0003117846.tif 000010
【手続補正書】
【提出日】平成17年8月22日(2005.8.22)
【手続補正１】
【補正対象書類名】実用新案登録請求の範囲
【補正対象項目名】全文
【補正方法】変更
【補正の内容】
【実用新案登録請求の範囲】
【請求項１】
台形アクリル板（１）を重ね、５ｍｍ角棒（２）を囲って作った薄い水槽内部に色つき精製水（３）・ベビーオイル（４）の比重を利用し２層の液体中間にシリコンおもちゃ（５）を漂わせたことを特徴とするオートバイに付属させる観賞用部品である。
【請求項２】
水槽の大きさに合わせて出来たＦＲＰのトレー（７）に好みの写真やペイントなどの背景（８）・ＬＥＤ（１１）などを取り付け、請求項１記載の水槽とビス（１３）で固定し、２層の液体（３）・（４）おもちゃ（５）・（９）などの揺れをエンジン始動中、もしくはカーブ時などに楽しみ、また好きなペイントや写真（８）なども一緒に楽しめることを特徴とした請求項１に記載のオートバイに付属させる観賞用部品である。
【請求項３】
台形アクリル板でできた水槽と、ＦＲＰでできたトレーをビスで固定したものよりも更に一回り大きいサイズのＦＲＰでできた枠をカバーのように取り付け、オートバイ車体と請求項１と請求項２を蝶番で連結させることを特徴とするオートバイに付属させる観賞用部品である。
【請求項４】
請求項１又は請求項２又は請求項３記載のオートバイに付属させる観賞用部品は形・ペイント・色などをライダー自身が手軽に着せ替えられることを特徴とするオートバイに付属させる観賞用部品である。